(57)【特許請求の範囲】
【請求項１】
携帯用端末機の本体を収納するケース本体と、
前記ケース本体の一側に収納及び突出自在に具備され前記ケース本体に具備された電源供給部から供給された電気エネルギーを増幅させて高い電流を発生させる衝撃部と、
前記衝撃部と前記電源供給部及び前記携帯用端末機と電気的に連結され危急状況の時前記衝撃部を稼動させる操作部と、
前記ケース本体の一側に具備され前記操作部により前記衝撃部が稼動される時の状況を音声または映像に収集するマルチメディア部と、及び
前記衝撃部と前記操作部と前記電源供給部及び前記携帯用端末機と電気的に連結され、前記衝撃部の稼動時前記マルチメディア部に収集された音声または映像とともに前記携帯用端末機の現在位置を特定機関に送信する通信部と、を含み、
前記操作部と電気的に連結され、前記ケース本体の所有者の本人が最初に接触入力し保存された指紋情報と現在ケース本体に接触された指紋情報が一致すると前記操作部が作動するようにする指紋認識部をさらに含むことを特徴とする電気衝撃機能を具備した携帯用端末機のケース。
【請求項２】
前記衝撃部は、
前記ケース本体の一側に設置され、前記操作部の稼動により長手方向に収納または突出されながら伸縮自在に配置される複数の単位棒とからなる衝撃棒と、
前記ケース本体の一側に設置され、前記操作部の稼動により前記衝撃棒を前記ケース本体の一側から突出または収納させる作動アセンブリーと、を含むことを特徴とする請求項１に記載の電気衝撃機能を具備した携帯用端末機のケース。
【請求項３】
前記操作部は、前記電源供給部と前記衝撃部の間の電気的な連結を維持または遮断するための、および、前記衝撃部の衝撃棒を前記ケース本体の一側から収納または突出させるためのスィッチであることを特徴とする請求項１に記載の電気衝撃機能を具備した携帯用端末機のケース。
【請求項４】
前記操作部は、
前記スィッチを１回作動させると前記衝撃棒が前記ケース本体の一側から突出される準備モードと、
前記準備モードで前記スィッチをもう１回作動させると前記衝撃棒に電気エネルギーが流れるようにする作動モードと、
前記作動モードで前記スィッチをもう１回作動させると前記衝撃棒の電気エネルギーを遮断し前記衝撃棒を前記ケース本体の一側に収納させる締め切りモードと、を含むことを特徴とする請求項３に記載の電気衝撃機能を具備した携帯用端末機のケース。
【請求項５】
前記マルチメディア部は、
前記ケース本体に装着され危急状況の時前記操作部に連動し稼動されながら現在の状況を録音し音声を収集するマイクと、
前記ケース本体に装着され危急状況の時前記操作部に連動し稼動されながら現在の状況を撮影し映像を収集するカメラと、を含み、
前記マイクと前記カメラとは前記通信部と連動し前記携帯用端末機の通信機に前記音声と映像を伝達することを特徴とする請求項１に記載の電気衝撃機能を具備した携帯用端末機のケース。
【請求項６】
前記通信部は、
前記ケース本体に装着され前記携帯用端末機に内蔵されたブルートゥース（登録商標）（Ｂｌｕｅｔｏｏｔｈ（登録商標））通信網及び前記衝撃部と電気的に連結され、前記ブルートゥース通信網と同期化し前記衝撃部が稼動されることを感知すれば、前記ブルートゥース通信網を通じて前記衝撃部の使用情報を前記携帯用端末機側に伝送し、前記使用情報が伝達されば前記マルチメディア部を可動させ前記音声または映像を収集するブルートゥースモジュールを含んで、
前記ブルートゥースモジュールは、前記マルチメディア部が収集した音声または映像を特定機関または既に入力した特定連絡先に送信する前記携帯用端末機の通信機に伝達することを特徴とする請求項１に記載の電気衝撃機能を具備した携帯用端末機のケース。
【請求項７】
前記ケース本体は、
前記ケース本体の一側から延長されるカバーと、
前記携帯用端末機のディスプレーパネルと対向する前記カバーの面にコーティングされた銀ナノ遮蔽層と、
前記ケース本体の一側に具備され前記電源供給部と連結されるオンオフスィッチと、
前記ケース本体の一側に具備され前記操作部により点燈されるエルイーディーライトをさらに含むことを特徴とする請求項１に記載の電気衝撃機能を具備した携帯用端末機のケース。
【発明の詳細な説明】
【技術分野】
【０００１】
本発明は電気衝撃機能を具備した携帯用端末機のケースに関し、より詳しくは、携帯用端末機を外部衝撃から保護するケース本然の機能を遂行することはもちろん、危急状況の時携帯用端末機の所持者を脅威要因から積極的に保護して防御するようにする電気衝撃機能を具備した携帯用端末機のケースに関する。
【背景技術】
【０００２】
女性のみならず社会的弱者たちがより安全に社会生活をするために護身用品中の一つとして電気衝撃機の必要性が徐々に増加しているが、電気衝撃機の必要性を認識しながらもたいてい電気衝撃機の所持を忌む現実である。
【０００３】
これは犯罪の発生が一般的に非常に珍しくて、これに反して個別機器として電気衝撃機は大きく所持が不便であるからと理解できる。
【０００４】
また、護身用として電気衝撃機を普段お持ちしても、不時に発生する犯罪に即刻な反応を見せるためには使用者が常に電気衝撃機の所持位置を認識しその使用に備えることができなかったら、護身用としての電気衝撃機の效用は反感されるだろう。
【０００５】
したがって、電気衝撃機の携帯性を高めることができるし、使用者が犯罪の発生時即刻的な対応ができるようにする装置の開発が必要である。
【先行技術文献】
【特許文献】
【０００６】
【特許文献１】大韓民国特許出願第１０−２００５−００１７７３１号
【特許文献２】大韓民国実用新案出願第２０−１９９２−００１０１９８号
【発明の概要】
【発明が解決しようとする課題】
【０００７】
本発明は前記のような問題点を改善するために発明されたもので、携帯用端末機を外部衝撃から保護するケース本然の機能を遂行するのはもちろん、危急状況の時携帯用端末機の所持者を脅威要因から積極的に保護して防御するようにする電気衝撃機能を具備した携帯用端末機のケースを提供することを目的とする。
【課題を解決するための手段】
【０００８】
上記目的を達成するために、本発明は、携帯用端末機の本体を収納するケース本体と、前記ケース本体の一側に収納及び突出自在に具備され前記ケース本体に具備された電源供給部から供給された電気エネルギーを増幅させて高い電流を発生させる衝撃部と、前記衝撃部と前記電源供給部及び前記携帯用端末機と電気的に連結され危急状況の時前記衝撃部を稼動させる操作部と、前記ケース本体の一側に具備され前記操作部により前記衝撃部が稼動される時の状況を音声または映像に収集するマルチメディア部と、及び前記衝撃部と前記操作部と前記電源供給部及び前記携帯用端末機と電気的に連結され、前記衝撃部の稼動時前記マルチメディア部に収集された音声または映像とともに前記携帯用端末機の現在位置を特定機関に送信する通信部と、を含むことを特徴とする電気衝撃機能を具備した携帯用端末機のケースを提供することができる。
【０００９】
ここで、前記衝撃部は、前記ケース本体の一側に設置され、前記操作部の稼動により長手方向に収納または突出されながら伸縮自在に配置される複数の単位棒とからなる衝撃棒と、前記ケース本体の一側に設置され、前記操作部の稼動により前記衝撃棒を前記ケース本体の一側から突出させるとか収納させる作動アセンブリーと、を含むことを特徴とする。
【００１０】
この時、前記操作部は、前記電源供給部と前記衝撃部の間の電気的な連結を維持または遮断するとか前記衝撃部の衝撃棒を前記ケース本体の一側から収納または突出させるスィッチであることを特徴とする。
【００１１】
そして、前記操作部は、前記スィッチを１回作動させると前記衝撃棒が前記ケース本体の一側から突出される準備モードと、前記準備モードで前記スィッチをもう１回作動させると前記衝撃棒に電気エネルギーが流れるようにする作動モードと、前記作動モードで前記スィッチをもう１回作動させると前記衝撃棒の電気エネルギーを遮断し前記衝撃棒を前記ケース本体の一側に収納させる締め切りモードと、を含むことを特徴とする。
【００１２】
そして、前記マルチメディア部は、前記ケース本体に装着され危急状況の時前記操作部に連動し稼動されながら現在の状況を録音し音声を収集するマイクと、前記ケース本体に装着され危急状況の時前記操作部に連動し稼動されながら現在の状況を撮影し映像を収集するカメラと、を含んで、前記マイクと前記カメラは前記通信部と連動し前記携帯用端末機の通信機に前記音声と映像を伝達することを特徴とする。
【００１３】
そして、前記通信部は、前記ケース本体に装着され前記携帯用端末機に内蔵されたブルートゥース（登録商標）（Ｂｌｕｅｔｏｏｔｈ（登録商標））通信網及び前記衝撃部と電気的に連結され、前記ブルートゥース通信網と同期化し前記衝撃部が稼動されることを感知すれば、前記ブルートゥース通信網を通じて前記衝撃部の使用情報を前記携帯用端末機側に伝送し、前記使用情報が伝達されば前記マルチメディア部を可動させ前記音声または映像を収集するブルートゥースモジュールを含んで、前記ブルートゥースモジュールは前記マルチメディア部が収集した音声または映像を特定機関または既に入力した特定連絡先に送信する前記携帯用端末機の通信機に伝達することを特徴とする。
【００１４】
そして、前記ケース本体は、前記ケース本体の一側から延長されるカバーと、前記携帯用端末機のディスプレーパネルと対向する前記カバーの面にコーティングされた銀ナノ遮蔽層と、前記ケース本体の一側に具備され前記電源供給部と連結されるオンオフスィッチと、前記ケース本体の一側に具備され前記操作部により点燈されるエルイーディーライトと、をさらに含むことを特徴とする。
【００１５】
また、前記電気衝撃機能を具備した携帯用端末機のケースは、前記操作部と電気的に連結され、前記ケース本体の所有者の本人が最初に接触入力し保存された指紋情報と現在ケース本体に接触された指紋情報が一致すると前記操作部が作動するようにする指紋認識部をさらに含むことを特徴とする。
【発明の効果】
【００１６】
上記の構成の本発明によれば、次のような効果を図ることができる。
【００１７】
まず、本発明は外部衝撃から携帯用端末機を保護するための一般的な形態のケース本体に電源供給部から電源の供給された衝撃部が操作部により稼動されこのような稼動状況を通信部を通じ特定機関に送るようにすることで、携帯用端末機を外部衝撃から保護するケース本然の機能を遂行することはもちろん、危急状況の時携帯用端末機の所持者を脅威要因から積極的に保護し防御することができるようになる。
【００１８】
特に、本発明は操作部により衝撃部がケース本体の一側から一定長さだけ突出されるようにすることである程度離隔された脅威要因に対して携帯用端末機の所持者が積極的に対応することができるようになる。
【図面の簡単な説明】
【００１９】
【図１】図１は、本発明の一の実施形態に係る電気衝撃機能を具備した携帯用端末機のケース本体を正面から見た概念図。
【図２】図２は、本発明の一の実施形態に係る電気衝撃機能を具備した携帯用端末機のケース本体に背面及び側面から見た概念図。
【図３】図３は、本発明の一の実施形態に係る電気衝撃機能を具備した携帯用端末機のケースの電気的結線及び結合関係を示したブロック線図。
【発明を実施するための形態】
【００２０】
本発明の利点及び特徴、そしてそれらを果たす方法は添付される図面と共に詳細に後述されている実施形態を参照すれば明確になるだろう。
【００２１】
しかしながら本発明はここで説明される実施形態に限らず他の形態に具体化されることもできる。
【００２２】
むしろ、ここで紹介される実施形態は開示された内容が徹底的で完全になることができるように、そして当業者に本発明の思想が充分に伝達されることができるようにするために提供されるものである。
【００２３】
図面たちにおいて、層及び領域たちの厚さは明確性を図るために誇張されたものである。
【００２４】
上端、下端、上面、下面、または、上部、下部などの用語は構成要素において相対的な位置を区別するために使われるものである。
【００２５】
例えば、便宜上図面上の上側を上部、図面上の下側を下部に名付ける場合、実際においては本発明の権利範囲を脱しないとともに上部は下部に名付けられることができるし、下部は上部に名付けられることもできる。
【００２６】
本出願で使った用語はただ特定の実施形態を説明するために使われたことで、本発明を限定しようとする意図ではない。
【００２７】
単数の表現は文脈上明白に違うように志さない限り、複数の表現を含む。
【００２８】
本の出願で、"含む"または"持つ"などの用語は明細書上に記載した特徴、数字、段階、動作、構成要素、部分品またはこれらを組み合わせたのが存在することを指定しようとするのであって、一つまたはその以上の他の特徴たちや数字、段階、動作、構成要素、部分品またはこれらを組み合わせたものなどの存在または付加可能性をあらかじめ排除しないことに理解されなければならない。
【００２９】
違うように定義されない限り、技術的や科学的な用語を含んでここで使われるすべての用語は本発明が属する技術分野で通常の知識を持った者により一般的に理解されることと等しい意味がある。
【００３０】
一般的に使われる辞典に定義されていることのような用語は関連技術の文脈上持つ意味と一致する意味があることに解釈されなければならないし、本出願で明白に定義しない限り、理想的や過度に形式的な意味に解釈されない。
【００３１】
以下、添付された図面を参照して本発明の望ましい実施形態をより詳細に説明する。
【００３２】
図１は、本発明の一の実施形態に係る電気衝撃機能を具備した携帯用端末機のケース本体を正面から見た概念図であり、図２は、本発明の一の実施形態に係る電気衝撃機能を具備した携帯用端末機のケース本体に背面及び側面から見た概念図で、図３は、本発明の一の実施形態に係る電気衝撃機能を具備した携帯用端末機のケースの電気的結線及び結合関係を示したブロック線図だ。
【００３３】
本発明は図示されたようにケース本体１００と衝撃部３００と操作部４００とマルチメディア部７００と通信部５００を含む構造であることを把握できる。
【００３４】
ケース本体１００は、携帯電話またはスマートフォンなどのような携帯用端末機６００の本体を収納するものであり、一般的な衝撃保護用のケースのような役目を遂行するものである。
【００３５】
ここで、ケース本体１００は、特別に図示しなかったが、長手方向または幅方向に長さが可変されるようにするスライディング脱着構造を適用し多様な大きさと幅を持った携帯用端末機６００に対応することもできる。
【００３６】
衝撃部３００は、ケース本体１００の一側に収納及び突出自在に具備されケース本体１００に具備された電源供給部２００から供給された電気エネルギーを増幅させて高い電流を発生させるものである。
【００３７】
操作部４００は、衝撃部３００と電源供給部２００及び携帯用端末機６００と電気的に連結され危急状況の時衝撃部３００を稼動させるものである。
【００３８】
マルチメディア部７００は、ケース本体１００の一側に具備され操作部４００により衝撃部３００が稼動される時の状況を音声または映像に収集するものである。
【００３９】
通信部５００は、衝撃部３００と操作部４００と電源供給部２００及び携帯用端末機６００と電気的に連結され、衝撃部３００の稼動時マルチメディア部７００に収集された音声または映像とともに携帯用端末機６００の現在位置を特定機関に送信するものである。
【００４０】
本発明は前記のような実施形態の適用が可能であり、次のような多様な実施形態の適用も可能であることは勿論である。
【００４１】
まず、ケース本体１００は、携帯用端末機６００を収納する部分外にもケース本体１００の一側から延長されるカバー１１０を具備し、携帯用端末機６００のディスプレーパネルを外部衝撃から保護することができる。
【００４２】
そして、携帯用端末機６００のディスプレーパネルと対向するカバー１１０の面には銀ナノ遮蔽層（以下、図示せず）がコーティングされるようにし電磁波を遮断し、携帯用端末機６００の表面に細菌が増殖することを抑制することができる。
【００４３】
そして、ケース本体１００は、図２（ｂ）のようにケース本体１００の一側に具備され電源供給部２００と連結されるオンオフスィッチ１２０をさらに含み、装置全体の電源を遮断または供給するようにできる。
【００４４】
そして、ケース本体１００は、図２（ａ）のようにケース本体１００の一側に具備され操作部４００により点燈されるエルイーディーライト１３０をさらに含み、サーチライト本然の機能を遂行することができることは勿論、暗い所や夜間に危急状況が発生した場合、現在の状況を鮮やかに撮影することができる。
【００４５】
そして、ケース本体１００には図２（ａ）のように企業の販促や広報のために企業名や広報文具またはロゴ１５０などを印刷することもできる。
【００４６】
また、ケース本体１００は、特別に図示しなかったが、電源供給部２００と連結される充電用端子をさらに具備し、電源供給用アダプダケーブルやＵＳＢケーブルなどと脱着結合されるようにすることもできることは勿論である。
【００４７】
一方、ケース本体１００に具備された電源供給部２００は携帯用端末機６００と電気的に連結され、後述する衝撃部３００の稼動のための電源供給用に具備されたことであり、大きく補助蓄電池２１０と整流回路２２０と充放電回路２３０を含む実施形態を適用することができる。
【００４８】
すなわち、補助蓄電池２１０はケース本体１００の一側に具備されるものであり、平常には携帯用端末機６００の補助電源で活用してから、有事時に後述する衝撃部３００の可用電源で活用することができるようになる。
【００４９】
整流回路２２０は、補助蓄電池２１０と連結され衝撃部３００及び携帯用端末機６００に一定な電流を供給するものである。
【００５０】
充放電回路２３０は補助蓄電池２１０と連結され補助蓄電池２１０の充放電を実施するものである。
【００５１】
一方、衝撃部３００は、前述のように高い電流を発生させ脅威要因になる人などの接近に対して電気的に衝撃を加えるようにしたもので、発振回路３１０と高圧トランス３２０と配電圧整流回路３３０を含む構造であることが分かる。
【００５２】
発振回路３１０は、ケース本体１００の一側に具備され、電源供給部２００及び操作部４００と電気的に連結されることで、電源供給部２００から供給された電源を一定な周波数で発振させるものである。
【００５３】
高圧トランス３２０は、発振回路３１０と電気的に連結され、電源供給部２００から供給された電流を昇圧させるものである。
【００５４】
配電圧整流回路３３０は、高圧トランス３２０と電気的に連結され、昇圧された電流を操作部４００が稼動される時間の間一定するように維持させるものである。
【００５５】
このような配電圧整流回路３３０による一定時間の間の昇圧された電流の維持は、後述する操作部４００により行われる。
【００５６】
また、衝撃部３００は、ケース本体１００の一側から収納または突出される機械的な動作のために衝撃棒３４０と作動アセンブリー３５０を含む実施形態の適用が可能である。
【００５７】
衝撃棒３４０は、ケース本体１００の一側に設置され、操作部４００の稼動により長手方向に収納または突出されながら伸縮自在に配置される複数の単位棒３４１、３４２、３４３とからなるものである。
【００５８】
作動アセンブリー３５０は、ケース本体１００の一側に設置され、操作部４００の稼動により衝撃棒３４０をケース本体１００の一側から突出させるとか収納させるものである。
【００５９】
作動アセンブリー３５０は、特別に図示しなかったが、複数の単位棒３４１、３４２、３４３を長手方向に突出させ収納させることができるように胎葉のように絡められた後、緩む鋼船と正及び逆回転自在なモーターの組合や、複数の単位棒３４１、３４２、３４３に内蔵されたラックとモーター駆動軸の端部に結合されたピニオンの組合など多様な応用及び変形設計が可能であることは勿論である。
【００６０】
一方、操作部４００は、電源供給部２００と衝撃部３００ の間の電気的な連結を維持または遮断するとか衝撃部３００の衝撃棒３４０をケース本体１００の一側から収納または突出させるスィッチ４２０であることが分かる。
【００６１】
このようなスィッチ４２０を含んだ操作部４００は、何種類のモードで衝撃部３００を作動させることができ、これはおおよそ準備モードＭ１と作動モードＭ２と締め切りモードＭ３とを含むことができる。
【００６２】
準備モードＭ１では、スィッチ４２０を１回作動させると衝撃棒３４０がケース本体１００の一側から突出される動作を実施するようになる。
【００６３】
作動モードＭ２では、準備モードＭ１からスィッチ４２０をもう１回作動させると衝撃棒３４０に電気エネルギーが流れるようになる。
【００６４】
締め切りモードＭ３では、作動モードＭ２からスィッチ４２０をもう１回作動させると衝撃棒３４０の電気エネルギーを遮断し衝撃棒３４０をケース本体１００の一側に収納させる動作を実施するようになるものである。
【００６５】
一方、マルチメディア部７００は、前述のように音声と映像を収集するものであり、マイク７１０とカメラ７２０を含む構造であることを把握できる。
【００６６】
マイク７１０は、ケース本体１００に装着され危急状況の時操作部４００に連動し稼動されながら現在の状況を録音し音声を収集するものである。
【００６７】
カメラ７２０は、ケース本体１００に装着され危急状況の時操作部４００に連動し稼動されながら現在の状況を撮影し映像を収集するものである。
【００６８】
したがって、マイク７１０とカメラ７２０は、後述する通信部５００と連動し携帯用端末機６００の通信機６１０に音声と映像を伝達するようになる。
【００６９】
ここで、マルチメディア部７００は、場合によりケース本体１００に装着されたマイク７１０とカメラ７２０を省略し、スマートフォンとタブレットＰＣなどのような携帯用端末機６００に基本的に内蔵されたマイクとカメラを利用することも可能であることは勿論である。
【００７０】
一方、通信部５００は、前述のように携帯用端末機６００と通信作業を遂行するためのものであり、ブルートゥースモジュール５１０を含むものである。
【００７１】
ブルートゥースモジュール５１０はケース本体１００に装着され携帯用端末機６００に内蔵されたブルートゥース（Ｂｌｕｅｔｏｏｔｈ）通信網及び衝撃部３００と電気的に連結され、ブルートゥース通信網と同期化し衝撃部３００が稼動されることを感知すれば、ブルートゥース通信網を通じて衝撃部３００の使用情報を携帯用端末機６００側に伝送し、使用情報が伝達さればマルチメディア部７００を可動させ音声または映像を収集するものである。
【００７２】
したがって、ブルートゥースモジュール５１０は、マルチメディア部７００が収集した音声または映像を特定機関または既に入力した特定連絡先に送信する携帯用端末機６００の通信機６１０に伝達することができるようになる。
【００７３】
すなわち、通信機６１０は、最近幅広く使われるスマートフォンとタブレットＰＣなどのような携帯用端末機にインストール可能な専用アプリケーションの形態に提供されることができる。
【００７４】
具体的には、通信機６１０は、携帯用端末機６００にインストールされる専用アプリケーションの形態でマルチメディア部７００のマイク７１０とカメラ７２０を稼動させるようになり、録画または録音された音声及び映像は警察署や消防署または私設警報機関などのような特定機関にＳＭＳとともに該当情報を送信する機能も遂行することができるようになる。
【００７５】
また、通信機６１０は、携帯用端末機６００自体のマイクまたはカメラを可動させ収集した音声及び映像を警察署や消防署または私設警報機関などのような特定機関にＳＭＳとともに該当情報を送信する機能も遂行することができるとは勿論である。
【００７６】
一方、本発明は子供の誤操作や、不純な目的を持った第３者の任意による操作を防止するために指紋認識部８００をさらに具備するのが望ましい。
【００７７】
指紋認識部８００は操作部４００と電気的に連結され、ケース本体１００の所有者の本人が最初に指紋を入力して設定したデータと比べ、子供や不純な目的を持った第３者など他人が把持して操作しようとすると操作部４００が作動されないようにするものであり、一種の安全装置として活用されることができる。
【００７８】
したがって、指紋認識部８００は所有者の本人の指紋を接触すれば初めて操作部４００が作動できるようにすることで所有者の本人の身近をはっきりと保護することができるようになるだろう。
【００７９】
以上のように本発明は、携帯用端末機を外部衝撃から保護するケース本然の機能を遂行するのはもちろん、危急状況の時携帯用端末機の所持者を脅威要因から積極的に保護し防御するようにする電気衝撃機能を具備した携帯用端末機のケースを提供することを基本的な技術的思想にしていることが分かる。
【００８０】
そして、本発明の基本的な技術的思想の範疇内において当業界の通常の知識を持った者においては他の多い変形及び応用も可能であることは勿論である。
【符号の説明】
【００８１】
１００  ケース本体
１１０  カバー
１２０  オンオフスィッチ
１３０  エルイーディーライト
１５０  ロゴ
２００  電源供給部
２１０  補助蓄電池
２２０  整流回路
２３０  充放電回路
３００  衝撃部
３１０  発振回路
３２０  高圧トランス
３３０  配電圧整流回路
３４０  衝撃棒
３４１、３４２、３４３  単位棒
３５０  作動アセンブリー
４００  操作部
４２０  スィッチ
５００  通信部
５１０  ブルートゥースモジュール
６００  携帯用端末機
６１０  通信機
７００  マルチメディア部
７１０  マイク
７２０  カメラ
８００  指紋認識部
Ｍ１  準備モード
Ｍ２  作動モード
Ｍ３  締め切りモード
【図１】
0006026489.tif 000002
【図２】
0006026489.tif 000003
【図３】
0006026489.tif 000004